(57)【特許請求の範囲】
【請求項１】
第１及び第２の外面を有する印刷回路基板（ＰＣＢ）と、
前記ＰＣＢの前記第１の面の印刷金属トレースの形態の第１のループアンテナ部であって、前記第１のループアンテナ部は第１及び第２の端部を有する、第１のループアンテナ部と、
前記ＰＣＢの前記第２の面の立設金属壁の形態の第２のループアンテナ部であって、前記第２のループアンテナ部は第１及び第２の端部を有し、前記第２のループアンテナ部の前記第１及び第２の端部の間の前記立設金属壁の少なくとも第１の部分は、前記ＰＣＢの前記第２の面に直接接触し、かつ前記ＰＣＢの前記第２の面から離れ出るように立設される、第２のループアンテナ部と
を備え、前記第１及び第２のループアンテナ部の前記第１の端部が前記ＰＣＢを介して接続され、前記第１及び第２のループアンテナ部の前記第２の端部が前記ＰＣＢを介して接続されることにより、前記第１及び第２のループアンテナ部が直列接続されて完全に閉じられたループアンテナを形成する、フォブ。
【請求項２】
前記第２のループアンテナ部が前記ＰＣＢに垂直である、請求項１に記載のフォブ。
【請求項３】
前記第１のループアンテナ部が前記ＰＣＢに平行な平面上で前記ループアンテナの周縁の第１の部分を形成し、前記第２のループアンテナ部が前記ＰＣＢに平行な前記平面上に投影された前記ループアンテナの前記周縁の第２の部分を形成し、前記第１及び第２のループアンテナ部によって形成された前記ループアンテナの前記周縁の前記第１及び第２の部分が相互に対応して前記ループアンテナの完全に閉じられた周縁を形成する、請求項１に記載のフォブ。
【請求項４】
前記第２のループアンテナ部の前記第１及び第２の端部の間の前記立設金属壁の第２の部分は前記ＰＣＢの前記第２の面から離れ出るように立設され、前記立設金属壁の前記第２の部分と前記ＰＣＢの前記第２の面との間に隙間がある、請求項１に記載のフォブ。
【請求項５】
前記ＰＣＢの前記第１の面が、前記第１の面上に、前記ＰＣＢの前記第１の面上の印刷金属トレースの形態でループアンテナを収容するには前記ＰＣＢの前記第１の面の表面領域が充分とはならないような、構成部材を含む、請求項１に記載のフォブ。
【請求項６】
前記ＰＣＢの前記第１の面が、立設金属壁の形態のループアンテナ部が前記ＰＣＢの前記第１の面上に存在することを可能とするには不充分な量のクリアランスを有する、請求項１に記載のフォブ。
【請求項７】
前記ＰＣＢの前記第１及び第２の面間において前記ＰＣＢ内に配置されたグランド層をさらに備え、
グランド層のいずれも、前記第１及び第２のループアンテナ部によって形成された前記ループアンテナのループ領域内に介在しない、請求項１に記載のフォブ。
【請求項８】
基地局と、
第１及び第２の外面を有する印刷回路基板（ＰＣＢ）、前記ＰＣＢの前記第１の面の印刷金属トレースの形態の第１のループアンテナ部、及び前記ＰＣＢの前記第２の面の立設金属壁の形態の第２のループアンテナ部を含む可搬遠隔制御装置であって、前記第１のループアンテナ部は第１及び第２の端部を含み、前記第２のループアンテナ部は第１及び第２の端部を含み、前記第２のループアンテナ部の前記第１及び第２の端部の間の前記立設金属壁の少なくとも第１の部分は、前記ＰＣＢの前記第２の面に直接接触し、かつ前記ＰＣＢの前記第２の面から離れ出るように立設され、前記第１及び第２のループアンテナ部の前記第１の端部が前記ＰＣＢを介して接続され、前記第１及び第２のループアンテナ部の前記第２の端部が前記ＰＣＢを介して接続されることにより、前記第１及び第２のループアンテナ部が直列接続されて完全に閉じられたループアンテナを形成する、可搬遠隔制御装置と
を備え、前記可搬遠隔制御装置が、前記ループアンテナを介して前記基地局と無線で通信するように構成された、システム。
【請求項９】
前記システムがリモート・キーレス・エントリ（ＲＫＥ）システムである、請求項８に記載のシステム。
【発明の詳細な説明】
【技術分野】
【０００１】
本開示は、可搬遠隔制御装置のアンテナに関する。
【背景技術】
【０００２】
可搬遠隔制御装置は無線通信のためのアンテナを含むことがある。キーフォブ（フォブ（ｆｏｂ））は、そのような可搬遠隔制御装置の一例である。リモート・キーレス・エントリ（ＲＫＥ）システムは、フォブ及び基地局を含む。フォブはユーザによって携帯され、基地局はターゲットにある。フォブは、そのアンテナを介して基地局と無線で通信してターゲットを遠隔制御する。
【０００３】
フォブなどの可搬遠隔制御装置のアンテナの要件は、実装上の制約を満たしつつも満足な性能を提供することを含む。
【発明の概要】
【０００４】
フォブなどの遠隔制御装置は、第１及び第２の外面を有する印刷回路基板（ＰＣＢ）、ＰＣＢの第１の面の第１のループアンテナ部、及びＰＣＢの第２の面の第２のループアンテナ部を含む。ループアンテナ部は、互いに異なる形態のものであり、相互に結合されてループアンテナを形成する。
【０００５】
第１のループアンテナ部はＰＣＢの第１の面上の印刷金属トレースの形態であればよく、第２のループアンテナ部はＰＣＢの第２の面上の立設（ｒａｉｓｅｄ）金属構造体の形態であればよい。この場合、第１のループアンテナ部はＰＣＢに平行な面にあり、第２のループアンテナ部はＰＣＢに垂直な面にある。第１のループアンテナ部はループアンテナの周縁の一部分を形成し、第２のループアンテナ部はループアンテナの周縁の残余部分を形成する。第１及び第２のループアンテナ部によって形成されたループアンテナの周縁の上記部分は、相互に対応してループアンテナの完全に閉じられた周縁を形成する。
【０００６】
第１のループアンテナ部は第１及び第２の端部を含み、第２のループアンテナ部は第１及び第２の端部を含む。ループアンテナ部の第１の端部が相互に接続されるとともにループアンテナ部の第２の端部が相互に接続されてループアンテナを形成する。
【０００７】
第２のループアンテナ部は、第２のループアンテナ部の第１及び第２の端部間に本体部をさらに含む。第２のループアンテナ部の第１及び第２の端部がＰＣＢの第２の面に取り付けられ、第２のループアンテナ部の本体部が、第２のループアンテナ部の本体部とＰＣＢの第２の面との間に隙間がある状態で、ＰＣＢの第２の面から離れて立設されている。
【０００８】
ＰＣＢの第１の面はその面上に、ＰＣＢの第１の面上の印刷金属トレースの形態で全ループアンテナを収容するにはＰＣＢの第１の面の表面領域が充分とはならないように、構成部材を含んでいてもよい。
【０００９】
ＰＣＢの第１の面は、立設金属構造体の形態のループアンテナ部をＰＣＢの第１の面上に収容することを可能とするには不充分な量のクリアランスを有し得る。
【００１０】
ＰＣＢの第１及び第２の面間においてＰＣＢ内に配置されたグランド層が配置されていてもよい。グランド層は、ループアンテナ部によって形成されたループアンテナのループ領域内にグランド層が介在しないように配置される。
【００１１】
他の遠隔制御装置は、ＰＣＢの第１の面上の印刷金属トレースの形態の第１のループアンテナ部、及びＰＣＢの第２の面上の立設金属構造体の形態の第２のループアンテナ部を含む。ループアンテナ部は、ＰＣＢを介して相互に接続されてループアンテナを形成する。
【００１２】
他の遠隔制御装置は、ＰＣＢの第１の面上の立設金属構造体の形態の第１のループアンテナ部、及びＰＣＢの第２の面上の立設金属構造体の形態の第２のループアンテナ部を含む。ループアンテナ部は、相互に接続されてループアンテナを形成する。
【００１３】
リモート・キーレス・エントリ（ＲＫＥ）などのシステムは、基地局及び可搬遠隔制御装置を含む。可搬遠隔制御装置は、第１及び第２の外面を有するＰＣＢ、ＰＣＢの第１の面の第１のループアンテナ部並びにＰＣＢの第２の面の第２のループアンテナ部を含む。ループアンテナ部が互いに異なる形態のものであり、相互に接続されてループアンテナを形成する。可搬遠隔制御装置が、ループアンテナを介して基地局と無線で通信するように構成される。
【００１４】
可搬遠隔制御装置は、ループアンテナを介して基地局と遠隔エンジン始動及び／又は停止制御機能を無線で通信するように構成されてもよい。
【図面の簡単な説明】
【００１５】
【図１】図１は、可搬遠隔制御装置を有する例示の無線遠隔制御システムのブロック図を示す。
【図２Ａ】図２Ａは、遠隔制御装置の印刷回路基板（ＰＣＢ）の上面の模式図を示し、ＰＣＢの上面には印刷金属トレースの形態のループアンテナ部がある。
【図２Ｂ】図２Ｂは、ＰＣＢの下面の模式図を示し、ＰＣＢの下面には立設金属構造体の形態の対応のループアンテナ部がある。
【図２Ｃ】図２Ｃは、ＰＣＢの下面の斜視図を示す。
【図２Ｄ】図２Ｄは、ＰＣＢの上面と下面の間のＰＣＢの中間面の模式図を示し、ＰＣＢの中間面にはグランド層がある。
【図２Ｅ】図２Ｅは、ＰＣＢの上面、中間面及び下面の重ね図を示す。
【発明を実施するための形態】
【００１６】
本発明の詳細な実施形態がここに開示されるが、開示される実施形態は、種々の代替の形態で具現され得る発明の単なる例示であることが理解される。図面は必ずしも寸法通りではなく、構成によっては誇張又は最小化されて特定の構成部材の詳細を示すこともある。したがって、ここに開示される具体的な構造的及び機能的な詳細は、限定としてではなく、単に、本発明を様々に採用するように当業者を教示するための代表的な基礎として解釈されるべきである。
【００１７】
ここで図１に、例示の無線遠隔制御システム１０のブロック図を示す。システム１０は、可搬遠隔制御装置１２及び基地局１４を含む。遠隔制御装置１２は、ユーザに携帯されるために可搬（ポータブル）である。遠隔制御装置１２は、キーフォブ（フォブ（ｆｏｂ））、スマートフォン、タブレット、スマートウォッチのようなウェアラブル装置などであればよい。基地局１４はターゲット１６にある。基地局１４は、ターゲット１６の機能を制御することができるように構成される。ターゲット１６は、乗り物、家、車庫、門、建造物、ドア、照明システムなどであればよい。遠隔制御装置１２及び基地局１４は、電磁（例えば、無線周波数（ＲＦ））信号を相互に無線で送信／受信して遠隔制御装置が基地局を介してターゲット１６を遠隔制御することができるように動作可能である。
【００１８】
遠隔制御装置１２は、遠隔制御装置が信号を基地局１４に対して無線で送信／受信してターゲットを遠隔制御するアンテナ１８を含む。基地局１４も対応のアンテナ（不図示）を含む。
【００１９】
無線遠隔制御システム１０の一例は、リモート・キーレス・エントリ（ＲＫＥ）システムでのその使用である。ＲＫＥシステムでは、例えば、遠隔制御装置１２はユーザに携帯されるフォブの形態を有し、ターゲット１６は車両である。ＲＫＥ機能は、フォブ１２がユーザによるフォブのボタンなどの作動に応じて車両の種々の機能を遠隔制御することを可能とする。一例として、基地局１４は、フォブ１２からの車両ドア開錠コマンドを受信すると、車両ドアを開錠する。フォブ１２は、フォブの対応のユーザ作動に応じて車両ドア開錠コマンドを基地局１４に送信する。
【００２０】
ＲＫＥシステムの他の制御機能は、二方向遠隔エンジン始動／停止制御機能を含む。二方向遠隔エンジン始動制御機能について、フォブ１２は、ユーザによるフォブの適切なボタンの作動に応じてエンジン始動コマンドを送信する。すると、基地局１４は、車両のエンジンを始動し、エンジン始動状態アップデートをフォブ１２に送信する。フォブ１２のユーザは、エンジン始動状態アップデートから、エンジンが始動したことを知る。二方向遠隔エンジン停止制御機能は、エンジンを停止してそれをユーザに通知するように同様に動作する。上述したように、二方向遠隔エンジン始動／停止制御機能は、フォブ及び基地局の双方が信号を相互に送信／受信するようにフォブ１２と基地局１４の間の「二方向」通信を伴う。
【００２１】
望まれる点は、二方向遠隔エンジン始動／停止制御機能を実行するために、フォブ１２が５００メートル以上のオーダの通信範囲を有することである。すなわち、フォブ１２は、フォブが基地局から通信範囲内のどこにある場合でも二方向遠隔エンジン始動／停止制御機能を実行するために基地局１４と通信できる必要がある。したがって、フォブ１２のアンテナ１８は、アンテナが満足な放射性能（例えば、利得、指向性など）を与え、フォブが所望の通信範囲で基地局と通信する電気的要件（例えば、電力消費、効率、ＦＣＣ動作規制など）を満たす構成を有しているべきである。
【００２２】
問題は、アンテナ１８も実装上の制約を受けることである。実装上の制約は、アンテナ１８がフォブ１２の比較的小さな実装スペース内に入ることを要する。実装上の制約はまた、アンテナ１８が、フォブ１２の他の構成部材を有する印刷回路基板（ＰＣＢ）の限られた表面積しか占めないことを要する。
【００２３】
標準的なＲＫＥシステムでは、フォブ１２及び基地局１４は、超高周波（ＵＨＦ）帯域で信号を通信する。例えば、ＵＨＦ動作周波数範囲は、３００ＭＨｚから１ＧＨｚの動作範囲及び３１５ＭＨｚの動作周波数を含む３００ＭＨｚから３ＧＨｚの間にある。
【００２４】
したがって、フォブ１２のアンテナ１８は、上記の実装上の制約及び選択されたＵＨＦ動作周波数に対応付けられる比較的長い波長のために、電気的に短い。アンテナ１８が実装上の制約を満たすように短くなるにつれて、アンテナの効率及びインピーダンスは悪くなるとともに管理が難しくなる。そのような制限的な構成は、フォブ１２の所望の通信範囲の達成をこれまで困難としてきた放射効率の減少に起因するアンテナ損失をもたらし得る。
【００２５】
本開示によるフォブなどの可搬遠隔制御装置は、アンテナが上記の実装上の制約を満たしつつ満足な放射性能を与えて電気的要件を満たす構成においてループアンテナを含む。このように、本開示による可搬遠隔制御装置は、二方向遠隔エンジン始動／停止制御機能などの制御機能を実行するための所望の通信範囲（例えば、５００メートル以上のオーダ）で基地局と通信することができる。
【００２６】
ここで図２Ａ、２Ｂ、２Ｃ、２Ｄ及び２Ｅを参照して、本開示によるフォブなどの可搬遠隔制御装置２０を説明する。遠隔制御装置２０は、ＰＣＢ２２及びループアンテナ２４を含む。ループアンテナ２４は、第１のループアンテナ部２６及び第２のループアンテナ部２８を含む。第１及び第２のループアンテナ部２６及び２８は、ともにループアンテナ部２４を構成する。すなわち、第１及び第２のループアンテナ部２６及び２８は、相互に直列接続されてループアンテナ２４を形成する。第１のループアンテナ部２６はＰＣＢ２２の一方の面（例えば、上面３０）に対応付けられ、第２のループアンテナ部２８はＰＣＢの反対側の面（例えば、下面３２）に対応付けられる。
【００２７】
図２Ａは、ＰＣＢ２２の上面３０の模式図を示す。第１のループアンテナ部２６は、ＰＣＢ２２の上面３０の印刷金属トレースの形態である。したがって、第１のループアンテナ部２６を形成するトレースは、ＰＣＢ２２に平行な平面にある。トレースは、ＰＣＢ２２の一部として作製される。トレースは、第１及び第２の端部３４及び３６とその間に延在する本体部３８とを含む。これにより、図２Ａに示すように、トレースは、ＰＣＢ２２に平行な平面でループアンテナ２４の周縁の一部分を形成する。
【００２８】
図２Ｂ及び２Ｃは、ＰＣＢ２２の下面３２の模式図及び斜視図をそれぞれ示す。第２のループアンテナ部２８は、ＰＣＢ２２の下面３２の立設（ｒａｉｓｅｄ）金属構造体の形態である。第２のループアンテナ部２８を形成する立設構造体は、ＰＣＢ２２の下面３２から離れて延出する。例えば、立設構造体は、ＰＣＢ２２の下面３２から離れて垂直に延出する。したがって、立設構造体はＰＣＢ２２に略垂直な面にある。
【００２９】
第２のループアンテナ部２８を形成する立設構造体は、第１及び第２の端部４０及び４２とその間に延在する本体部４４とを含む。立設構造体の第１及び第２の端部４０及び４２は、ＰＣＢ２２の下面３２に取り付けられる。立設構造体の本体部４４は、ＰＣＢ２２の下面３２から離れて立設される。図２Ｂに示すように、これにより、立設構造体は、ＰＣＢ２２に平行な平面上に突出したループアンテナ２４の周縁の残余部分を形成する。
【００３０】
立設構造体の本体部４４がＰＣＢ２２の下面３２から離れて立設されているので、隙間４６が立設構造体の本体部４４とＰＣＢ２２の下面３２との間にある。所望であれば（例えば、調整を可能とするために）、立設構造体の本体部４４の任意の部分がＰＣＢ２２の下面３２に取り付けられてもよい。例えば、図２Ｃに示すように、立設構造体の本体部４４の中央部分４８がＰＣＢ２２の下面３２に取り付けられる。
【００３１】
第１のループアンテナ部２６の第１の端部３４と第２のループアンテナ部２８の第１の端部４０とは、ＰＣＢ２２を介して（例えば、ＰＣＢを貫通するビアを介して）相互に電気的に接続される。第１のループアンテナ部２６の第２の端部３６と第２のループアンテナ部２８の第２の端部４２とは、ＰＣＢを介して（例えば、ＰＣＢを貫通する他のビアを介して）相互に電気的に接続される。このように、第１及び第２のループアンテナ部２６及び２８は直列に接続され、それによりループアンテナ２４を形成する。
【００３２】
特に、第１のループアンテナ部２６は（図２Ａに示すように）ＰＣＢ２２に平行な平面上でループアンテナ２４の周縁の一部分を形成し、第２のループアンテナ部２８は（図２Ｂに示すように）ＰＣＢ２２に平行な平面上に突出したループアンテナの周縁の残余部分を形成する。第１及び第２のループアンテナ部２６及び２８によって形成されるループアンテナ２４の周縁の両部分は（図２Ｅに示すように）相互に対応してループアンテナ２４の完全に閉じられた周縁を形成する。ループアンテナ２４のループ領域は、ループアンテナ２４の周縁内の領域である。
【００３３】
図２Ａ、２Ｂ及び２Ｃに示すように、ＰＣＢ２２は、遠隔制御装置の構成部材を含む。構成部材は、例えば、プロセッサ回路、送受信機回路、発光ダイオード（ＬＥＤ）、スイッチ及びバッテリを含む。例えば、図２Ａに示すように、ＰＣＢ２２の上面３０は、プロセッサ回路及び送受信機回路のための電子チップ、ＬＥＤ並びにスイッチを含む構成部材を収容する。この構成部材は、全般に符号５４で指定される。これに対応して、図２Ｂ及び２Ｃに示すように、ＰＣＢ２２の下面３２は、バッテリを含む構成部材を収容する。この構成部材は、全般に符号５６で指定される。
【００３４】
図２Ａに示すように、構成部材５４は、ＰＣＢ２２の上面３０の比較的大きな表面領域を占める。結果として、印刷トレースの形態での完全なループアンテナをＰＣＢ２２の上面３０上に収容することはできない。ＰＣＢ２２の上面３０の残余の表面領域は、印刷トレースを全ループレイアウトに展開してＰＣＢの上面にループアンテナを完全に形成するには充分に広くない。したがって、本開示によると、完全なループアンテナの一部のみ（すなわち、第１のループアンテナ部２６のみ）がＰＣＢ２２の上面３０にある。図２Ａに示すように、構成部材５４に占められていないＰＣＢ２２の上面３０の残余の表面領域は、第１のループアンテナ部２６が展開するのに充分に広い。
【００３５】
一変形例では、ループアンテナ構成部材を含む構成部材を収容するためのＰＣＢ２２の上面３０上の高さは厳密に制限される。結果として、ＰＣＢ２２の上面３０上の利用可能な高さは、立設構造体の形態を有するループアンテナ部を収容するには充分に高くない。したがって、立設構造体はＰＣＢ２２の上面３０の最小表面領域を占めることになるが、印刷トレースは、実質的に平坦でＰＣＢの上面の利用可能な表面領域内に入るので、ＰＣＢの上面の第１のループアンテナ部２６として使用される。
【００３６】
一方、同変形例では、ループアンテナ構成部材を含む構成部材を収容するために、ＰＣＢ２２の下面３２上の比較的大きな高さが利用可能となる。したがって、第２のループアンテナ部２８は、トレースと反対側の立設構造体の形態となる。ＰＣＢ２２の下面３２の第２のループアンテナ部２８を形成する立設構造体は、ループアンテナ２４を形成するＰＣＢの上面３０の第１のループアンテナ部２６を形成する印刷トレースとの組合せにおいて、ＰＣＢのそれぞれの面の対応する一対の印刷トレースによって形成された場合のループアンテナよりも良いアンテナ性能を与える。
【００３７】
ループアンテナ構成部材を含む構成部材を収容するためのＰＣＢ２２の上面３０上の高さが制限されない他の変形例では、第１のループアンテナ部２６を形成する印刷トレースが第２の立設構造体に置き換えられてもよい。
【００３８】
図２Ｄは、ＰＣＢ２２の中間面５０の模式図を示す。ＰＣＢ２２の中間面５０は、ＰＣＢの上面３０と下面３２の間においてＰＣＢの内部にある。グランド層５２はＰＣＢ２２の中間面５０上にある。図２Ｄに示すように、グランド層５２は、中間面５０の表面領域の一部を覆う。グランド層５２は、ＰＣＢ２２の上面３０の第１のループアンテナ部２６とＰＣＢの下面３２の第２のループアンテナ部２８との間に挟まれる中間面５０の表面領域上には配置されない。結果として、第１のループアンテナ部２６と第２のループアンテナ部２８の間にグランド面はない。また、中間面５０のグランド層５２は、グランド層と、第１及び第２のループアンテナ部２６及び２８間に介在する中間面の表面領域に隣接する中間面５０の表面領域との間にスペースができるように配置される。
【００３９】
図２Ｅは、ＰＣＢ２２の上面３０、中間面５０及び下面３２の重ね図を示す。図２Ｅの重ね図は、ループアンテナ２４及びグランド層５２の配置を強調する簡略化された図である。図示するように、ループアンテナ２４は、相互に直列接続された第１のループアンテナ部２６及び第２のループアンテナ部２８からなる。特に、第１及び第２のループアンテナ部２６及び２８のそれぞれ第１の端部３４及び４０はＰＣＢを介して相互に電気的に接続され、第１及び第２のループアンテナ部のそれぞれ第２の端部３６及び４２はＰＣＢを介して相互に電気的に接続される。第１及び第２のループアンテナ部２６及び２８は、図２Ｅに示すように、相互に積層されたループアンテナ部（例えば、ＰＣＢに平行な平面上の第１のループアンテナ部２６（図２Ａ参照）及びＰＣＢに平行な平面上に突出した第２のループアンテナ部２８（図２Ｂ参照））がループアンテナ２４を形成するように、ＰＣＢ２２の上面及び下面３０及び３２のそれぞれの位置にある。
【００４０】
図２Ｅにさらに示すように、グランド層５２には第１のループアンテナ部２６と第２のループアンテナ部２８の間に介在する部分がない。グランド層５２は、第１及び第２のループアンテナ部２６及び２８によって形成されるループアンテナ２４のループから全体として離隔されている。
【００４１】
上述したように、本開示による可搬遠隔制御装置は、第１及び第２のループアンテナ部の組合せによって形成されたループアンテナを含む。第１のループアンテナ部はＰＣＢの上面及び下面の一方（例えば、上面）に対応付けられ、第２のループアンテナ部はＰＣＢの上面及び下面の他方（例えば、下面）に対応付けられる。第１のループアンテナ部は、ＰＣＢの上面の印刷金属トレースの形態である。第２のループアンテナ部は、ＰＣＢの下面から立ち上がる固い金属構造体の形態である。立設構造体の本体部とＰＣＢの下面との間には隙間がある。ＰＣＢは、ループと交差する実質的なグランドがないように、かついずれかのループアンテナ部に近いグランド平面がないように設計される。
【００４２】
本開示によって対処された問題は、ＰＣＢ上の非常に制限されたスペースにループアンテナを形成する能力である。本開示によるループアンテナは、この問題を、ＰＣＢのそれぞれの面上の第１及び第２のループアンテナ部の組合せによって形成されていることによって解決する。
【００４３】
第１及び第２のループアンテナ部によって形成されるループアンテナは、要求範囲が５００メートルのオーダとなる広域二方向遠隔エンジン始動／停止アプリケーションにおける使用のための小型ＵＨＦアンテナとなり得る。限られた利用可能なスペースにもかかわらず、そのループアンテナは、要求範囲を実現するのに充分なループ領域を有する。
【００４４】
一般に、ループアンテナは、特定の最小（好ましくは最適）ループ領域を有して最小要求アンテナ利得及びパターンを実現すべきである。ループ領域が狭すぎる場合には、充分な利得とはならない。ループ領域が広すぎる場合には、ループを共振させるのに必要な容量値が非現実的に低くなるので共振させることができなくなる。本開示によるループアンテナは、これらの要因を考慮して要求範囲を実現する。
【００４５】
例示の実施形態を上述したが、これらの実施形態は本発明の全ての可能な形態を記載するものではない。逆に、明細書で使用される文言は限定ではなく説明の文言であり、本発明の精神及び範囲から逸脱することなく種々の変化がなされ得ることが理解される。さらに、種々の実施による実施形態の構成は、本発明の更なる実施形態を形成するように組み合わせられ得る。
【図１】
0006339622.tif 000002
【図２Ａ】
0006339622.tif 000003
【図２Ｂ】
0006339622.tif 000004
【図２Ｃ】
0006339622.tif 000005
【図２Ｄ】
0006339622.tif 000006
【図２Ｅ】
0006339622.tif 000007